(57)【要約】  車両の流体のフィルタ群のフィルタカートリッジ１０であって、フィルタ群１は、ベースアセンブリ１００および係合手段２を備える主軸Ｘ−Ｘに沿って延在する。係合手段２は、フィルタカートリッジに備えられる第１の係合部材２０およびベースアセンブリに備えられる第２の係合部材２００を備え、それぞれ、ブロッキング構成で互いに係合するように特別に形作られている。フィルタカートリッジは、カートリッジ軸Ｚ−Ｚに沿って延在し、軸方向の端部に、第１の係合部材が作られる係合面１５を備え、カートリッジ軸と正反対の少なくとも２つの歯要素２１を備える。各歯要素は、カートリッジ軸に平行な係合面から高さが延び、脚部２２および頭部２３を備え、ブロッキング構成において、頭部は、第２の係合部材によって係合される。各歯要素は、半径方向に弾性的に曲がり易いので、歯要素の半径方向の動きに従ってブロッキング構成を達成可能である。
2021513462.tif 000002
【特許請求の範囲】
【請求項１】
流体（１）のフィルタ群のフィルタカートリッジ（１０）であって、前記フィルタ群（１）は、主軸（Ｘ−Ｘ）に沿って延在し、
ｉ）フィルタカートリッジ（１０）を主軸（Ｘ−Ｘ）に沿って係合し、好ましくは、流体的に接続するのに適したベースアセンブリ（１００）と、
ｉｉ）フィルタカートリッジ（１０）に備えられる第１の係合部材（２０）およびベースアセンブリ（１００）に備えられる第２の係合部材（２００）を備える係合手段（２）であって、フィルタカートリッジ（１０）およびベースアセンブリ（１００）が相互に軸方向にブロックされるブロッキング構成で互いに係合するようにそれぞれ特別に設計されている、係合手段（２）と、をさらに備え、
前記フィルタカートリッジ（１０）は、カートリッジ軸（Ｚ−Ｚ）に沿って延在し、軸方向の端部に、前記第１の係合部材（２０）が作られる係合面（１５）を備え、カートリッジ軸（Ｚ−Ｚ）と正反対の少なくとも２つの歯要素（２１）を備え、
前記各歯要素（２１）は、カートリッジ軸（Ｚ−Ｚ）に平行な係合面（１５）から高さが延びており、脚部（２２）および頭部（２３）を備え、ブロッキング構成では、前記頭部（２３）は、第２の係合部材（２００）によって係合され、
前記各歯要素（２１）は、半径方向に弾性的に曲がり易いので、歯要素の半径方向の動きに従って前記ブロッキング構成を達成可能であり、
前記第１の係合部材（２０）は、各歯要素（２１）に対して、歯要素（２１）から半径方向に延びるコマンドデバイス（２４）を備え、前記コマンドデバイス（２４）の動作は、歯要素（２１）の半径方向の移動を伴う、フィルタカートリッジ（１０）。
【請求項２】
各コマンドデバイス（２４）は、歯要素（２１）に対して実質的に垂直に延びるステム（２５）を備える、請求項１に記載のフィルタカートリッジ（１０）。
【請求項３】
各コマンドデバイス（２４）は、歯要素（２４）に接続された端部の反対側のステム（２５）の端部に配置されたコマンド部材（２６）を備え、コマンド部材（２６）によって、半径方向のスラスト作用がステム（２５）で、したがって、歯要素（２１）で実行可能であり、好ましくは、コマンド部材（２６）は、ステム（２５）に対して実質的に直交する延長部を有し、ユーザまたは特別な形状の手段によって手動で押されるのに適している、請求項２に記載のフィルタカートリッジ（１０）。
【請求項４】
前記ステム（２５）は、カートリッジ軸（Ｚ−Ｚ）に実質的に平行な方向に延在する貫通開口部（２５’）を有し、ブロッキング構成において、第２の係合部材（２００）に備えられる安全インサート（２５０）は、前記貫通開口部（２５’）に収容されるのに適している。請求項２または３に記載のフィルタカートリッジ（１０）。
【請求項５】
前記コマンドデバイス（２４）は、係合平面（１５）と歯要素（２１）の頭部（２３）との間の中間距離に配置される、請求項１ないし４のうちいずれか１項に記載のフィルタカートリッジ（１０）。
【請求項６】
各歯要素（２１）の頭部（２３）は、前記脚部（２２）に対して横方向に突出する２つの係合部分（２３’）を備え、歯要素が実質的にＴ字形状を有するように、前記脚部（２１）の反対側に２つのアンダーカットを作成する、請求項１ないし５のうちいずれか１項に記載のフィルタカートリッジ（１０）。
【請求項７】
各歯要素（２１）の頭部（２３）は、前記脚部（２２）に対して半径方向に突出する結合部分（２３’）を備え、歯要素が実質的にＬ字形状になるように、アンダーカットを作成する、請求項１ないし５のうちいずれか１項に記載のフィルタカートリッジ（１０）。
【請求項８】
前記結合部分（２３’）は、フィルタカートリッジ（１０）とベースアセンブリ（１００）との間の係合動作中に半径方向にスラスト作用を受けるような方法で、前記第２の係合部材（２００）によって係合されるのに適している、請求項６または７に記載のフィルタカートリッジ（１０）。
【請求項９】
歯要素（２１）の頭部（２３）は、頭部（２３）が２つの別個の部分（２３ａ、２３ｂ）に分割されるように、ある部分の長さで延びる軸方向分割を有する、請求項１ないし８のうちいずれか１項に記載のフィルタカートリッジ（１０）。
【請求項１０】
前記フィルタカートリッジ（１０）は、
−カートリッジ軸（Ｚ−Ｚ）に沿って延在する、流体によって半径方向に移動可能な、好ましくは、中空の円筒型のフィルタ媒体（１３）と、
−前記フィルタ媒体（１３）の軸方向端部に配置された第１のフィルタプレート（１１）および第２のフィルタプレート（１２）と、を備え、
前記第１のフィルタプレート（１１）または前記第２のフィルタプレート（１２）は、その上に前記第１の係合部材（２０）を提示する係合平面（１５）に対応する、請求項１ないし９のうちいずれか１項に記載のフィルタカートリッジ（１０）。
【請求項１１】
前記フィルタカートリッジ（１０）は、
−第１の本体プレート（１７）と第２の本体プレート（１８）との間で前記カートリッジ軸（Ｚ−Ｚ）に沿ってその延長部を有する、好ましくは、円筒形状のカートリッジ本体（１６）と、
−前記カートリッジ本体（１６）に収容されたフィルタ媒体（１３）と、を備え、
前記第１の本体プレート（１７）または前記第２の本体プレート（１８）は、その上に前記第１の係合部材（２０）を提示する係合平面（１５）に対応する、請求項１ないし９のうちいずれか１項に記載のフィルタカートリッジ（１０）
【請求項１２】
流体（１）のフィルタ群のベースアセンブリ（１００）であって、前記フィルタ群（１）は、主軸（Ｘ−Ｘ）に沿って延在し、
ｉ）前記ベースアセンブリ（１００）は、主軸（Ｘ−Ｘ）に沿って前記フィルタカートリッジ（１０）に係合し、好ましくは、流体的に接続するのに適している、請求項１ないし１１のうちいずれか１項に記載のフィルタカートリッジ（１０）と、
ｉｉ）前記フィルタカートリッジ（１０）に備えられる前記第１の係合部材（２０）と、第１の係合本体（２０）に備えられる各歯要素（２１）に対してブロッキングハウジング（２３０）を備える第２の係合部材（２００）と、を備える係合手段（２）であって、ブロッキング構成において、歯要素（２１）が収容され、それに相補的な形状である、係合手段（２）と、を備える、ベースアセンブリ（１００）。
【請求項１３】
前記第２の係合部材（２００）は、フィルタカートリッジ（１０）とベース要素（１００）との間の係合動作において、挿入ガイド（２１０）が、歯要素（２１）に対して半径方向の作用を実行するような方法で、歯要素（２１）によって係合可能な挿入ガイド（２１０）を備える、請求項１２に記載のベースアセンブリ（１００）。
【請求項１４】
前記挿入ガイド（２１０）は、主軸（Ｘ−Ｘ）に平行な軸方向に歯要素（２１）によって係合される、請求項１３に記載のベースアセンブリ（１００）。
【請求項１５】
前記挿入ガイド（２１０）は、回転式で歯要素（２１）によって係合可能であり、前記挿入ガイド（２１０）は、アセンブリ軸（Ｙ−Ｙ）に対して実質的に楕円形の延長部を有する、請求項１３に記載のベースアセンブリ（１００）。
【請求項１６】
前記ベースアセンブリ（１００）は、フィルタカートリッジ（１０）を前記流体が流れる回路に流体的に接続するのに適した支持グループである、請求項１３ないし１５のうちいずれか１項に記載のベースアセンブリ（１００）。
【請求項１７】
前記支持グループは、その内部にフィルタカートリッジ（１０）が挿入可能かつ組み立て可能であるカートリッジハウジング（１５０）を備える、請求項１６に記載のベースアセンブリ（１００）。
【請求項１８】
前記支持グループは、濾過される流体がフィルタカートリッジ（１０）に流体的に到達する前に、濾過される流体を加熱するのに適したヒータを備える、請求項１６または１７に記載のベースアセンブリ（１００）。
【請求項１９】
流体（１）のフィルタ群であって、前記フィルタ群（１）は、主軸（Ｘ−Ｘ）に沿って延在し、
−請求項１ないし１１のうちいずれか１項に記載のフィルタカートリッジ（１０）と、
−請求項１２ないし１８のうちいずれか１項に記載のベースアセンブリ（１００）と、
−前記フィルタカートリッジ（１０）に備えられる第１の係合部材（２０）と、前記ベースアセンブリ（１００）に備えられる第２の係合部材（２００）と、を備える係合手段（２）であって、それぞれ、前記フィルタカートリッジ（１０）と前記ベースアセンブリ（１００）が相互に軸方向にブロックされるブロッキング構成で互いに係合するように特別に形作られている、係合手段（２）と、を備える、フィルタ群。
【請求項２０】
請求項１９に記載の、流体（１）のフィルタ群を組み立てる方法であって、
−フィルタカートリッジ（１０）とベースアセンブリ（１００）との間で、主軸（Ｘ−Ｘ）に沿って、および／または主軸（Ｘ−Ｘ）の周りに相互に係合する動作を実行し、第１の係合部材（２０）および第２の係合部材（２００）をブロッキング構成にするステップを含む、方法。
【請求項２１】
フィルタカートリッジ（１０）とベースアセンブリ（１００）との間の相互係合動作の実行段階中に、ユーザまたは第２の係合部材（２００）によって、歯要素（２１）に半径方向にコマンド動作が実行される、請求項２０に記載の流体（１）のフィルタ群の組み立て方法。
【請求項２２】
請求項１９に記載の、車両の流体（１）のフィルタ群を分解する方法であって、
−ブロッキング構成から始めて、第１の係合部材（２０）に備えられる歯要素（２１）に対して半径方向のスラスト作用を実行するステップと、
−フィルタカートリッジ（１０）とベースアセンブリ（１００）との間で、主軸（Ｘ−Ｘ）に沿って、および／またはその周りに、相互に係合解除動作を実行するステップと、を含む、方法。
【発明の詳細な説明】
【技術分野】
【０００１】
本発明は、流体のフィルタ群のフィルタカートリッジに関する。さらに、本発明はまた、前記フィルタカートリッジに係合するのに適した流体の前記フィルタ群に備えられるベースアセンブリに関する。また、本発明は、流体のフィルタ群、その組立方法および分解方法にも関する。
【０００２】
本発明は、自動車分野においてその好ましい用途を見出す。具体的には、実際には、本発明が存在する状況は、自動車の運転に必要な流体、液体または気体に特に関連する流体の濾過システムの状況である。換言すれば、本発明による流体のフィルタ群およびそれを構成する構成要素は、車両に含まれる空気回路、オイル回路、燃料回路および／または水（または水溶液）回路での用途を見出す。
【背景技術】
【０００３】
自動車用途における流体の濾過のためのシステムは、先行技術において知られている。
【０００４】
そのような既知の濾過システムは、それぞれの流体循環システムに流体的に接続されたベースアセンブリに一体的に接続された１つ（または複数）のフィルタカートリッジを備える。フィルタカートリッジの特定の用途に応じて、フィルタ群とベースアセンブリの形状と物理的特性は異なる。
【０００５】
しかしながら、フィルタカートリッジを備えるフィルタ群の任意の実施形態では、前記フィルタカートリッジは、自動車の必要性に応じて交換可能である必要があり、例えば、必要なメンテナンスの場合に交換可能である必要がある。
【０００６】
したがって、既知の濾過システムの主な問題は、フィルタカートリッジとベースアセンブリの係合および係合解除操作を単純かつ直観的にすることである。この必要性に加えて、フィルタカートリッジとベースアセンブリが相互に結合されるブロッキング構成が同時に必要である。このブロッキングは、長期にわたって保証されており、不要な取り外しのリスクを回避する。
【０００７】
従来技術では、場合によっては、例えば、安全プラグなど追加の専用構成要素を必要とする、複雑な係合および／または係合解除操作を必要とするフィルタカートリッジとベースアセンブリとの相互係合を提供する濾過システムの解決策が知られている。
【発明の概要】
【０００８】
したがって、本発明の目的は、フィルタカートリッジをそれぞれのベースアセンブリに対して安全にブロッキングすることを確実にするが、単純かつ直感的な係合および係合解除操作も可能にする流体のフィルタ群を具体的に提供することである。
【０００９】
このような目的は、請求項１に記載のフィルタカートリッジおよび請求項１２に記載のベースアセンブリによって達成される。さらに、これは、請求項１９に記載のフィルタ群、請求項２１に記載の前記フィルタ群の組立方法、および請求項２２に記載の前記フィルタ群の分解方法によっても達成される。従属請求項は、さらに有利な態様を有する好ましい実施形態の変形を示す。
【００１０】
本発明のさらなる特徴および利点は、いずれの場合でも、添付の図面を参照して非限定的な例としてなされた、その好ましい実施形態についての以下の説明から明らかになるであろう。
【図面の簡単な説明】
【００１１】
【図１ａ】それぞれの好ましい実施形態に係る、本発明に係る流体のフィルタ群のそれぞれの概略図を示している。
【図１ｂ】それぞれの好ましい実施形態に係る、本発明に係る流体のフィルタ群のそれぞれの概略図を示している。
【図１ｃ】それぞれの好ましい実施形態に係る、本発明に係る流体のフィルタ群のそれぞれの概略図を示している。
【図１ｄ】それぞれの好ましい実施形態に係る、本発明に係る流体のフィルタ群のそれぞれの概略図を示している。
【図２】それぞれ、第１の実施形態に係る流体のフィルタ群の斜視図および２つの側面図を示している。
【図２ａｐｏｓｔｒｏｐｈｅ】それぞれ、第１の実施形態に係る流体のフィルタ群の斜視図および２つの側面図を示している。
【図２ａｐｏｓｔｒｏｐｈｅａｐｏｓｔｒｏｐｈｅ】それぞれ、第１の実施形態に係る流体のフィルタ群の斜視図および２つの側面図を示している。
【図３ａ】図２に係る流体のフィルタ群のいくつかの構成要素、特に、そこに提供される係合手段の２つの斜視図を示している。
【図３ｂ】図２に係る流体のフィルタ群のいくつかの構成要素、特に、そこに提供される係合手段の２つの斜視図を示している。
【図３ａａｐｏｓｔｒｏｐｈｅ】図３ａおよび図３ｂの断面図および下からの図である。
【図３ｂａｐｏｓｔｒｏｐｈｅ】図３ａおよび図３ｂの断面図および下からの図である。
【図４】図２による流体のフィルタ群の組み立て段階を長手方向断面図で示している。
【図４ａ】図２による流体のフィルタ群の組み立て段階を長手方向断面図で示している。
【図４ｂ】図２による流体のフィルタ群の組み立て段階を長手方向断面図で示している。
【図４ａｐｏｓｔｒｏｐｈｅ】図４、図４ａ、および図４ｂに示されているのと同じ組み立て段階を、追加の長手方向断面平面に従って示している。
【図４ａａｐｏｓｔｒｏｐｈｅ】図４、図４ａ、および図４ｂに示されているのと同じ組み立て段階を、追加の長手方向断面平面に従って示している。
【図４ｂａｐｏｓｔｒｏｐｈｅ】図４、図４ａ、および図４ｂに示されているのと同じ組み立て段階を、追加の長手方向断面平面に従って示している。
【図５】図２に示される実施形態と同じ係合手段を備える、代替実施形態における流体のフィルタ群を長手方向断面で示している。
【図６】それぞれ、第２の実施形態に係る流体のフィルタ群の斜視図および２つの側面図を示している。
【図６ａｐｏｓｔｒｏｐｈｅ】それぞれ、第２の実施形態に係る流体のフィルタ群の斜視図および２つの側面図を示している。
【図６ａｐｏｓｔｒｏｐｈｅａｐｏｓｔｒｏｐｈｅ】それぞれ、第２の実施形態に係る流体のフィルタ群の斜視図および２つの側面図を示している。
【図７ａ】図６による流体のフィルタ群のいくつかの構成要素、特に、そこに設けられた係合手段の２つの斜視図を示している。
【図７ｂ】図６による流体のフィルタ群のいくつかの構成要素、特に、そこに設けられた係合手段の２つの斜視図を示している。
【図７ａａｐｏｓｔｒｏｐｈｅ】断面図および図７ａおよび図７ｂの下からの図である。
【図７ｂａｐｏｓｔｒｏｐｈｅ】断面図および図７ａおよび図７ｂの下からの図である。
【図８】図６による流体のフィルタ群の組立段階を長手方向断面で示している。
【図８ａ】図６による流体のフィルタ群の組立段階を長手方向断面で示している。
【図８ｂ】図６による流体のフィルタ群の組立段階を長手方向断面で示している。
【図８ａｐｏｓｔｒｏｐｈｅ】追加の横断面平面による、図８、図８ａ、および図８ｂに示されているのと同じ組立段階を示している。
【図８ａａｐｏｓｔｒｏｐｈｅ】追加の横断面平面による、図８、図８ａ、および図８ｂに示されているのと同じ組立段階を示している。
【図８ｂａｐｏｓｔｒｏｐｈｅ】追加の横断面平面による、図８、図８ａ、および図８ｂに示されているのと同じ組立段階を示している。
【図９】図６に示される実施形態と同じ係合手段を備える、代替実施形態における流体のフィルタ群を長手方向断面で示している。
【図１０】第３の実施形態に係る流体のフィルタ群の斜視図、側面図、および長手方向断面図をそれぞれ示している。
【図１０ａｐｏｓｔｒｏｐｈｅ】第３の実施形態に係る流体のフィルタ群の斜視図、側面図、および長手方向断面図をそれぞれ示している。
【図１０ａｐｏｓｔｒｏｐｈｅａｐｏｓｔｒｏｐｈｅ】第３の実施形態に係る流体のフィルタ群の斜視図、側面図、および長手方向断面図をそれぞれ示している。
【図１１ａ】図１０による流体のフィルタ群のいくつかの構成要素、特に、そこに提供される係合手段の２つの斜視図を示している。
【図１１ｂ】図１０による流体のフィルタ群のいくつかの構成要素、特に、そこに提供される係合手段の２つの斜視図を示している。
【図１１ａａｐｏｓｔｒｏｐｈｅ】断面図および図１１ａおよび図１１ｂの下からの図である。
【図１１ｂａｐｐｏｓｔｒｏｐｈｅ】断面図および図１１ａおよび図１１ｂの下からの図である。
【図１２ａ】図１１による流体のフィルタ群の組立段階を横断面で表している。
【図１２ｂ】図１１による流体のフィルタ群の組立段階を横断面で表している。
【図１２ｃ】図１１による流体のフィルタ群の組立段階を横断面で表している。
【図１３】図１０に示される実施形態におけるのと同じ係合手段を備える、代替実施形態における流体のフィルタ群を長手方向断面で示している。
【発明を実施するための形態】
【００１２】
添付図面において、参照番号１は、全体として流体のフィルタ群を示す。図面によれば、本発明では、参照番号１０は、フィルタカートリッジを示し、ベースアセンブリは、参照番号１００で示されている。
【００１３】
添付の図面に例として示されているように、流体１のフィルタ群は、主に主軸方向に、特に、主軸Ｘ−Ｘに沿って延びる。
【００１４】
本発明によれば、流体１のフィルタ群は、フィルタカートリッジ１０（以下で広範に説明する）およびベースアセンブリ１００（次に広範に説明する）を備える。したがって、好ましくは、２つの構成要素は、前記主軸Ｘ−Ｘに沿って連続的に配置される。
【００１５】
本発明によれば、流体のフィルタ群１は、前記主軸Ｘ−Ｘに沿ってフィルタカートリッジ１０とベースアセンブリ１００とを係合および係合解除するのに適した特別な係合手段２も含む。
【００１６】
特に、前記係合手段は、フィルタカートリッジ１０に備えられる第１の係合部材２０またはカートリッジ係合部材と、ベースアセンブリ１００に備えられる第２の係合部材２００またはベース係合部材とを備える。
【００１７】
以下に説明し、添付の図面に示されるように、第１の係合部材２０および第２の係合部材２００は、それぞれ、フィルタカートリッジ１０およびベースアセンブリ１００が相互に軸方向にブロックされるブロッキング構成で互いに係合するように特別に構成される。
【００１８】
特に、第１の係合部材２０および第２の係合部材２００は、ブロッキング構成において第１が第２に収容されるように特別に設計される。特に、ブロッキング構成では、第１の係合部材２０および第２の係合部材２００は、軸方向で２つの構成要素をブロックするように互いに相補的である。
【００１９】
図１ａ、図１ｂ、図１ｃ、および図１ｄは、本発明に係る流体１の濾過システムの概略図を示し、その下流および／または上流には、その一部であるのに適した流体循環システムが配置されているそれぞれのフィルタ群の相対的なダクトがある。特に、これらの図式は、流体１の性質に関係なく、流体１のあらゆるタイプのフィルタ群に適用するのに適している。
【００２０】
その代わりに、図２〜図４は、好ましくはディーゼルタイプの燃料が濾過される、流体１のフィルタ群の好ましい実施形態を示す。好ましくは、前記実施形態では、ベースアセンブリ１００は、フィルタカートリッジ１０の流体的に上流に配置される。同様に、図６〜図８は、好ましくは、ディーゼルタイプの、燃料が濾過される流体１のフィルタ群の第２の好ましい実施形態を示す。さらに、図１０〜図１２は、好ましくは、ディーゼルタイプの、燃料が濾過される流体１のフィルタ群の第３の好ましい実施形態を示す。
【００２１】
代わりに、図５は、必ずしも燃料の濾過に限定されず、必ずしもベースアセンブリ１００がフィルタカートリッジ１０の上流に配置されているとは限らず、図２および図４の実施形態の変形例に係る流体１のフィルタ群の概略図である。同様に、図９は、代わりに、必ずしも燃料の濾過に限定されず、必ずしも、フィルタカートリッジ１０の上流に配置されたベースアセンブリ１００を有する必要はない、図６〜図８の実施形態の変形に関する実施形態の変形に係る流体１のフィルタ群の概略図である。さらに、図１３は、代わりに、必ずしも燃料の濾過に限定されず、必ずしも、フィルタカートリッジ１０の上流に配置されたベースアセンブリ１００を有する必要はない、図１０〜図１２の実施形態の変形に関する実施形態の変形に係る流体１のフィルタ群の概略図である。
【００２２】
図２〜図４で参照される実施形態および図５で参照される実施形態は、同じ係合手段２を有する。同様に、同様に、図６〜図８で言及される実施形態および図９で言及される実施形態は、同じ係合手段２を有する。さらに、図１０〜図１２の実施形態および図１３の実施形態は、同じ係合手段２を有する。
【００２３】
好ましくは、フィルタカートリッジ１０とベースアセンブリ１００との間の相互の係合は、相互の軸方向の挿入によって主軸Ｘ−Ｘに沿った軸方向で行われる。
【００２４】
いくつかの実施形態の変形例によれば、フィルタカートリッジ１０とベースアセンブリ１００との間の相互係合は、主軸Ｘ−Ｘに沿った回転方向で行われる。
【００２５】
本発明によれば、フィルタカートリッジ１０は、カートリッジ軸Ｚ−Ｚに沿って延びる。好ましくは、ブロッキング構成では、カートリッジ軸Ｚ−Ｚは、主軸Ｘ−Ｘと一致する。
【００２６】
さらに、本発明によれば、フィルタカートリッジ１０は、軸端部に、前記第１の係合部材２０が作られる係合面１５を備える。
【００２７】
つまり、第１の係合部材２０は、係合面１５を起点として高さ方向に延びている。
【００２８】
添付図面に例として示されているように、好ましい実施形態では、フィルタカートリッジ１０は、カートリッジ軸Ｚ−Ｚに沿って延在する、流体が半径方向に移動可能な、好ましくは中空円筒タイプのフィルタ媒体１３を備える。
【００２９】
添付の図面に例として示されているように、好ましい実施形態では、フィルタカートリッジ１０は、カートリッジ軸Ｚ−Ｚに沿って延びる、半径方向に流体が通過可能な中空タイプのフィルタ媒体１３を備える。
【００３０】
代替の実施形態では、フィルタ媒体１３は、Ｚ−Ｚ軸に沿って軸方向に延びる部分を有し、Ｚ−Ｚ軸に平行な実質的に軸方向に作動流体と交差する。特に、本発明は、流体がフィルタ媒体１３を通過する方向とは無関係である。
【００３１】
さらに、フィルタカートリッジ１０は、フィルタ媒体１３の軸方向端部に配置された、例えば、その端部で溶接された第１のフィルタプレート１１および第２のフィルタプレート１２を備える。
【００３２】
好ましい実施形態によれば、第１のフィルタプレート１１または第２のフィルタプレート１２のうちの１つは、前記第１の係合部材２０上に存在する係合平面１５に対応する。
【００３３】
実施形態の変形例によれば、フィルタカートリッジ１０は、第１の本体プレート１７と第２の本体プレート１８との間の前記カートリッジ軸Ｚ−Ｚに沿ったその延長を有する、好ましくは円筒形形状のカートリッジ本体１６を備える。第１のフィルタプレート１１および第２のフィルタプレート１２が配置されるフィルタ媒体１３は、好ましくは、カートリッジ本体１６を内部で係合してフィルタ媒体１３を所定の軸方向位置に維持するのに適しており、前記カートリッジ本体１６内に収容される。したがって、好ましくは、前記濾過操作は、前記カートリッジ本体１６の内部で行われる。
【００３４】
そのような実施形態の変形例によれば、第１の本体プレート１７または第２の本体プレート１８のうちの１つは、前記第１の係合部材２０上に存在する係合平面１５に対応する。
【００３５】
本発明によれば、第１の係合部材２０は、カートリッジ軸Ｚ−Ｚと正反対の少なくとも２つの歯要素２１を備える。言い換えると、歯要素２１は、カートリッジ軸Ｚ−Ｚが延在する仮想平面によって規定される対向する半分にある。好ましくは、歯要素２１は、相互に角度的に離間しており、好ましくは、角度的に等距離であるが、必ずしもそうである必要はない。好ましくは、歯要素は、非対称に配置される。好ましくは、歯要素は、対称的に配置される。上記の説明によれば、歯要素２１は、カートリッジ軸Ｚ−Ｚから半径方向に離間されている。
【００３６】
各歯要素２１は、実質的にＴ字形状または実質的にＬ字形状を有する、カートリッジ軸線Ｚ−Ｚに平行な仮想表面上に全体的または部分的に延びる係合平面１５から高さが延びる。
【００３７】
言い換えると、歯の要素２１は、カートリッジの軸Ｚ−Ｚに平行に延びる単一の表面上で、少なくとも軸方向に延びるその部分にある。
【００３８】
好ましくは、前記表面は、平面である（したがって、２つの遠位方向に対向する歯要素２１は、互いに平行なそれぞれの仮想表面上に延びる）。
【００３９】
実施形態の変形例では、前記表面は、例えば、円周状にアーチ状である（すなわち、２つの遠位方向に対向する歯要素２１は、カートリッジ軸Ｚ−Ｚに対して同心円状に延びるそれぞれの仮想表面上に延びる）。
【００４０】
好ましい実施形態によれば、各歯要素２１は、脚部２２および頭部２３を備える。いくつかの実施形態では、脚部２２および頭部２３は両方とも、上記仮想表面上にある。他の実施形態では、脚部２２および頭部２３は、２つのそれぞれ直交する平面上に延びる。代わりに、さらに他の実施形態では、脚部２２および頭部２３は、２つのそれぞれ直交する平面上に延びる。
【００４１】
好ましくは、脚部２２は、係合面１５から出発して延び、一方、頭部２３は、前記面から遠位位置にある。
【００４２】
本発明によれば、上記のブロッキング構成において、頭部２３は、第２の係合部材２００によって軸方向に係合される。
【００４３】
すなわち、頭部２３は、第２の係合部材２００によって係合可能な脚部２２に対して突出する結合部分２３’を備え、構成要素間の軸方向の望ましくない動きを防止する。
【００４４】
さらに換言すると、頭部２３および脚部２２は、第２の係合部材２００によって係合可能な少なくとも１つのアンダーカットを規定する。
【００４５】
特に、Ｔ字形状の歯要素２１を備える実施形態では、頭部２３および脚部２２は、脚部の側面に少なくとも２つのアンダーカットを規定する。一方、Ｌ字形状の歯要素２１を備える実施形態では、頭部２３および脚部２２は、アンダーカットを規定する。好ましくは、Ｌ字形状の歯要素２１を備える実施形態では、頭部２３および脚部２２は、少なくとも２つのアンダーカットを規定する。
【００４６】
さらに、好ましい実施形態によれば、結合部分２３’は、傾斜縁部２３”を特定する横方向にテーパ状に、脚部２２に対して横方向に突出する。好ましくは、前記傾斜縁部２３”は、係合面１５を見下ろしている。好ましくは、前記傾斜縁部２３”は、係合面１５を見下ろす側と反対側に面している。
【００４７】
本発明によれば、図に示され、以下に説明されるように、第２の係合部材２００は、それぞれのブロッキングブラケット２３０’を備えたＴ字型ハウジングを提供する前述の歯の形状と相補的な形状を有する。好ましくは、前記ブロッキングブラケット２３０’は、前記傾斜縁部２３”と同様に傾斜している。
【００４８】
本発明によれば、図に示され、以下に説明するように、第２の係合部材２００は、前述の歯の形状と相補的な形状を有し、Ｌ字形状の歯要素をそれぞれのアンダーカットと係合するのに適したそれぞれのブロッキングブラケット２３０’と係合するのに適したハウジングを提供する。
【００４９】
本発明によれば、各歯要素２１は、半径方向に弾性的に曲がり易いので、歯要素２１の半径方向の動きに従って前記ブロッキング構成を達成可能であることに留意されたい。
【００５０】
換言すれば、ブロッキング構成を達成するために、歯要素２１は、ブロッキング構成に対応する位置に到達すると、半径方向の開始位置に戻るように半径方向に移動する必要がある。
【００５１】
本発明によれば、歯要素２１の前記半径方向移動は、第１の係合部材２０と第２の係合部材２００との間の係合で達成されるか、または、例えば、ユーザによって、外部から特に制御される。
【００５２】
好ましい実施形態によれば、前記結合部分２３’は、フィルタカートリッジ１０とベースアセンブリ１００との間の係合動作中に半径方向にスラスト作用を受けるように、前記第２の係合部材２００によって係合されるのに適している。
【００５３】
好ましい実施形態によれば、さらに、歯要素２１の頭部２３は、頭部２３が２つの別個の部分２３ａ，２３ｂに分割されるように、ある部分の長さで延びる軸方向分割を有する。このような実施形態では、例えば、ベースアセンブリ１００に設けられたリブ２８０が前記軸方向スプリットに収容されて、構成要素間の相互係合をさらに強化することが可能である。同様に、第２の係合部材２００は、別個の部分２３ａ、２３ｂごとに別個のハウジング２３０ａ、２３０ｂを備える。
【００５４】
さらに、本発明によれば、半径方向の作動のみによって、歯要素２１をブロックし、それを、フィルタカートリッジ１０とベースアセンブリ１００との間の係合を解除することができる位置に誘導することがどのように可能であるかに留意されたい。
【００５５】
本発明によれば、第１の係合部材２０は、各歯要素２１に対してコマンドデバイス２４を備え、コマンドデバイス２４の作動は、歯要素２１の半径方向の移動を伴う。
【００５６】
好ましくは、各コマンドデバイス２４は、歯要素２１から半径方向に延びる。
【００５７】
好ましい実施形態によれば、各コマンドデバイス２４は、係合平面１５とそれぞれの歯要素２１の遠位部分、好ましくは、頭部部分２３との間の中間部分に配置される。
【００５８】
好ましい実施形態によれば、各コマンドデバイス２４は、歯要素２１に対して実質的に垂直に延びるステム２５を備える。好ましくは、前記ステム２５は、歯要素２１が存在する仮想平面に平面的に直角に延びる。
【００５９】
好ましい実施形態によれば、各コマンドデバイス２４は、それが歯要素２１に接続されている端部の反対側のステムの端部にコマンド部材２６を備える。前記コマンド部材２６によって、半径方向のスラスト作用がステム２５に、したがって、歯要素２１に実行される。
【００６０】
好ましい実施形態によれば、コマンド部材２６は、ユーザによって手動で押されるか、または特別な形状の手段によって押されるステム２５に実質的に直交する延長部を有する。好ましくは、ユーザは、両方の歯要素２１に半径方向の動作を実行することによって、正反対の両方のコマンド部材２６を押す。
【００６１】
好ましい実施形態によれば、コマンド部材２６は、実質的に手動で押されるボタンである。
【００６２】
好ましい実施形態によれば、ステム２５は、カートリッジ軸Ｚ−Ｚに実質的に平行な方向に延びる貫通開口部２５’を有する。
【００６３】
好ましい実施形態によれば、ブロッキング構成では、第２の係合部材２００に含まれる安全インサート２５０は、前記貫通開口部２５’に収容されるのに適している。
【００６４】
好ましい実施形態によれば、開口部を通して２５’安全インサート２５０は、歯要素２１の過度の半径方向の動きを防止するように特別に相互に形作られている。言い換えると、開口部２５’および安全インサート２５０は、歯要素２５が所定の量よりも半径方向に曲がることを防止するように構成され、特に、歯要素２１の破損を回避するように設計される。
【００６５】
上記のように、本発明はまた、主軸Ｘ−Ｘに沿って前記フィルタカートリッジ１０に係合して流体的に接続するのに適した流体１のフィルタ群のベースアセンブリ１００に関する。
【００６６】
具体的には、ベースアセンブリ１００は、構成要素間の軸方向の望ましくない往復運動が防止されるブロッキング構成まで、上記の第１の係合部材２０に係合するのに適した前記第２の係合部材２００を備える（このような移動は、実際には上記のコマンドデバイス２４の作動後のみ可能である）。
【００６７】
前記ベースアセンブリ１００は、少なくとも第２の係合部材２００において、組み立てられた流体１のフィルタ群と共に、主軸Ｘ−Ｘに対応するアセンブリ軸Ｙ−Ｙに沿って延びる。
【００６８】
本発明によれば、実際には、第１の係合部材２０に備えられる各歯要素２１について、第２の係合部材２００は、ブロッキング構成において歯要素２１が収容されるブロッキングハウジング２３０を備え、それを補完する形をしている。
【００６９】
言い換えると、前記ブロッキングハウジング２３０は、歯要素２１の形状、特に、脚部２２およびとりわけ頭部２３の形状を補完的に複製する。
【００７０】
好ましい実施形態では、ブロッキングハウジング２３０は、頭部２３の縁部２３”と当接するように特別に成形されたブロッキングブラケット２３０’を提供することにより、歯要素２１のＴ字形状を複製する。
【００７１】
好ましい実施形態では、ブロッキングハウジング２３０は、頭部２３の傾斜縁部２３と当接するように特別に形成されたブロッキングブラケット２３０’を提供することにより、歯要素２１のＴ字形状を複製する。
【００７２】
他の好ましい実施形態によれば、ブロッキングハウジング２３０は、頭部２３の縁部２３’と当接するように特別に成形されたブロッキングブラケット２３０’を提示することにより、歯要素２１のＬ字形状を複製する。好ましくは、ブロッキングハウジングは、縁部２３’の底側と当接するように特別に形作られている。
【００７３】
好ましい実施形態によれば、第２の係合部材２００は、フィルタカートリッジ１０とベース要素１００との間の係合動作において、前記挿入ガイド２１０が歯要素２１に対して半径方向の作用を実行するように、歯要素２１によって係合可能な挿入ガイド２１０を備える。
【００７４】
好ましくは、実際には、挿入ガイド２１０において、半径方向のスラスト歯２６０は、結合部分２３’と係合して歯要素に半径方向のスラスト作用を及ぼすのに適して提供される。
【００７５】
これらの特徴によれば、一実施形態では、挿入ガイド２１０は、主軸Ｘ−Ｘに平行な、すなわち、ベースアセンブリ１００が延びるアセンブリ軸Ｙ−Ｙに平行な軸方向に歯要素２１によって係合される。
【００７６】
これらの特徴によるが、さらなる実施形態では、挿入ガイド２１０は、歯要素２１によって回転式に係合される。
【００７７】
例えば、好ましくは、前記挿入ガイド２１０は、アセンブリ軸Ｙ−Ｙに対して実質的に楕円形の延長部を有する。それぞれの歯要素２１は、それぞれのカートリッジ軸Ｚ−Ｚからそれらを分離する半径方向距離に応じて、それぞれのブロッキングハウジング２３０に到達するまで挿入ガイド２１０に係合するのに適している。
【００７８】
添付の図面、特に、図１ａ、図１ｂ、図１ｃ、および図１ｄの図式に示されるように、いくつかの実施形態では、ベースアセンブリ１００は、フィルタカートリッジ１０を前記流体が流れる回路に流体的に接続するのに適した支持グループである。
【００７９】
特に、いくつかの実施形態によれば、支持グループは、（図１ｃおよび図１ｄに示されているように）フィルタカートリッジ１０が挿入および組立可能であるカートリッジハウジング１５０を内部に備える。
【００８０】
他の実施形態によれば、支持グループは、（図１ａおよび図１ｂに示されるように）フィルタカートリッジ１０によって直接係合される。
【００８１】
さらに、好ましい実施形態によれば、ベースアセンブリが、それぞれの濾過された流体および／または濾過されるべき流体に対して操作を実行するのに適した適切な構成要素をどのように備えるかが強調されるべきである。例えば、それは、これがフィルタカートリッジ１０に流体的に到達する前に、濾過される流体を加熱するのに適したヒータを備える。
【００８２】
したがって、本発明はまた、主軸Ｘ−Ｘに沿って延びる流体１の同じフィルタ群に関し、上記のようなフィルタカートリッジ１０、上記のようなベースアセンブリ１００、および上記のような係合手段２を備える。
【００８３】
さらに、本発明は、流体１のフィルタ群を組み立てる方法に関し、前記方法は、
−第１の係合部材２０および第２の係合部材をブロッキング構成にするために、主軸Ｘ−Ｘに沿っておよび／またはその周りに、フィルタカートリッジ１０とベースアセンブリ１００との間の相互係合動作を実行するステップ、
を含む。
【００８４】
好ましくは、フィルタカートリッジ１０とベースアセンブリ１００との間の相互係合動作の実行段階中に、コマンド動作は、ユーザまたは第２の係合部材２００によって、半径方向に歯要素２１に対して実行される。
【００８５】
好ましい実施形態によれば、フィルタカートリッジ１０とベースアセンブリ１００との間の係合は、軸方向への相互挿入によって達成される。
【００８６】
他の実施形態の変形例によれば、フィルタカートリッジ１０とベースアセンブリ１００との間の係合は、軸方向への挿入および同時またはその後の回転動作によって達成される。
【００８７】
本発明はまた、流体１のフィルタ群を分解する方法に関し、前記方法は、
−ブロッキング構成から始めて、第１の係合部材２０に備えられる歯要素２１に半径方向のスラスト作用を実行するステップと、
−フィルタカートリッジ１０とベースアセンブリ１００との間で、主軸Ｘ−Ｘに沿っておよび／またはその周りで、相互に係合解除動作を行うステップと、
を含む。
【００８８】
好ましい実施形態によれば、フィルタカートリッジ１０とベースアセンブリ１００との間の係合解除は、コマンドデバイスの作動後の軸方向の相互離隔によって達成される。
【００８９】
他の実施形態の変形例によれば、フィルタカートリッジ１０とベースアセンブリ１００との間の係合解除は、コマンドデバイスの作動に続く、軸方向における回転および同時またはその後の離隔によって達成される。
【００９０】
例として添付された表に示されているように、カートリッジ本体１６が構成される方法は、本発明の対象ではない。例えば、実際には、カートリッジ本体は、例えば、プラスチック材料の特別な蓋またはキャップ構成要素によって軸端部で閉じられたアルミニウムの本体で構成されており、係合面１５が配置されているため、第２の係合部材２０は、上記の構成要素で作られている。
【００９１】
さらなる実施形態によれば、係合手段は、説明された第１の係合部材および第２の係合部材の逆の配置を提供する。すなわち、上記の第１の係合部材は、ベースアセンブリ上に配置され、第２の係合部材は、フィルタカートリッジ上に配置される。
【００９２】
本発明のいくつかの実施形態によれば、フィルタカートリッジおよびベースアセンブリは、水平位置、すなわち、車両が移動する地面と平行になるような位置に延在する車両に配置される。
【００９３】
革新的に、上記の車両内の流体のフィルタカートリッジ、ベースアセンブリ、フィルタ群は、従来技術の典型的な欠点を克服する本発明の目的を完全に満たす。革新的に、フィルタ群の組立方法および分解方法は、従来技術の典型的な欠点を克服する本発明の目的を完全に満たす。
【００９４】
有利なことに、実際には、フィルタカートリッジベースアセンブリの組み立ておよび分解操作は、非常に単純化され、直感的であり、ガイドされている。
【００９５】
有利には、ブロッキング構成において、係合手段は、長期間にわたって維持される２つの構成要素の固定された軸方向位置を保証する。有利には、ベースアセンブリとフィルタカートリッジとの間の係合が保証され、特に、これら２つの間の相互の流体係合の維持が保証される。有利には、ベースアセンブリまたはフィルタカートリッジがフィルタ媒体の特別なハウジング本体を備える実施形態では、ベースアセンブリとカートリッジとの間の係合は、ハウジング本体の内部に過圧または圧力ピークが発生する「緊急（またはバースト）」状況でも保証される。
【００９６】
有利には、いくつかの実施形態では、歯要素の半径方向の動きは、フィルタカートリッジとベースアセンブリとの間の同じ相互係合動作によって案内される。
【００９７】
有利には、コマンドデバイスは、必要な場合に、手動で、および／または特別に成形された特別な外部コマンド手段によって容易に制御可能である。
【００９８】
有利には、コマンドデバイスは、歯要素が半径方向の作用に過度にさらされるリスクを未然に防ぐのに適した安全手段も含む。
【００９９】
有利には、傾斜縁部に起因する軸方向のブロッキング作用は、構成要素に効果的に取り除かれる。
【０１００】
有利には、結合システムの形状が単純化され、歯およびそれらのそれぞれの座のサイズを単純化し、有利には、係合手段の製造に使用される金型の複雑さおよび相対的なコストを最小化する。
【０１０１】
有利には、組み立て方法（および逆に分解方法）は、時間の経過とともに、単純で直感的で再現可能な操作を伴う。
【０１０２】
したがって、本発明のさらなる利点は、記載されているような歯要素を備えていないフィルタカートリッジのベースアセンブリに設置できないことである。言い換えれば、フィルタ群では、例えば、保守作業中に、製造業者によって提供された高品質のフィルタカートリッジが使用されることを保証するために、例えば、従来のカートリッジを使用することは不可能である。
【０１０３】
有利には、既知の結合システムと比較して、望ましくない分解が防止される。歯要素の移動は、実際には、歯要素に対する半径方向のスラスト作用が実行される場合にのみ、ブロッキング構成からのみ可能である。
【０１０４】
有利には、歯要素は、特別な手段によって望まれるものよりも大きな半径方向の作用を受けることを防止される。
【０１０５】
有利には、フィルタカートリッジとベースアセンブリとの間の係合および相互ブロッキングは、手段の形状自体によって案内および制御され、それぞれの構成要素のより長い有効寿命を保証する。
【０１０６】
有利には、係合手段は、ベースアセンブリ内の第１の係合部材およびフィルタカートリッジ上の第２の係合部材の設置を提供する。
【０１０７】
当業者は、付随する請求項によって定義される保護の範囲内に全て含まれる偶発的な要件を満たすように、フィルタカートリッジ、ベースアセンブリ、流体のフィルタ群または組立方法に変更を加えることができることは明らかである。
【０１０８】
参照番号のリスト：
１  液体のフィルタ群
１０  フィルタカートリッジ
１００  ベースアセンブリ
１５０  カートリッジハウジング
１１  第１のフィルタプレート
１２  第２のフィルタプレート
１３  フィルタ媒体
１５  係合面
１６  カートリッジ本体
１７  第１の本体プレート
１８  第２の本体プレート
２  係合手段
２１  歯要素
２２  脚部
２３  頭部
２３’  側部分
２３ａ、２３ｂ  個別の部分
２３”  傾斜縁部
２４  コマンドデバイス
２５  ステム
２５’  開口部
２６  コマンド部材
２０  第１の係合部材
２００  第２の係合部材
２１０  挿入ガイド
２３０  ブロッキングハウジング
２３０’  ブロッキングブラケット
２３０ａ、２３０ｂ  個別のハウジング
２８０  リブ
２６０  半径方向のスラスト歯
Ｘ−Ｘ  主軸
Ｙ−Ｙ  アセンブリ軸
Ｚ−Ｚ  カートリッジ軸
【図１ａ】
2021513462.tif 000003
【図１ｂ】
2021513462.tif 000004
【図１ｃ】
2021513462.tif 000005
【図１ｄ】
2021513462.tif 000006
【図２】
2021513462.tif 000007
【図２ａ】
2021513462.tif 000008
【図２ｂ】
2021513462.tif 000009
【図３ａ】
2021513462.tif 000010
【図３ａａ】
2021513462.tif 000011
【図３ｂ】
2021513462.tif 000012
【図３ｂｂ】
2021513462.tif 000013
【図４】
2021513462.tif 000014
【図４ａ−１】
2021513462.tif 000015
【図４ａ】
2021513462.tif 000016
【図４ａａ】
2021513462.tif 000017
【図４ｂ】
2021513462.tif 000018
【図４ｂａ】
2021513462.tif 000019
【図５】
2021513462.tif 000020
【図６】
2021513462.tif 000021
【図６ａ】
2021513462.tif 000022
【図６ｂ】
2021513462.tif 000023
【図７ａ】
2021513462.tif 000024
【図７ａｂ】
2021513462.tif 000025
【図７ｂ】
2021513462.tif 000026
【図７ｂａ】
2021513462.tif 000027
【図８】
2021513462.tif 000028
【図８ａ−１】
2021513462.tif 000029
【図８ａ】
2021513462.tif 000030
【図８ａａ】
2021513462.tif 000031
【図８ｂ】
2021513462.tif 000032
【図８ｂａ】
2021513462.tif 000033
【図９】
2021513462.tif 000034
【図１０】
2021513462.tif 000035
【図１０ａ】
2021513462.tif 000036
【図１０ｂ】
2021513462.tif 000037
【図１１ａ】
2021513462.tif 000038
【図１１ａａ】
2021513462.tif 000039
【図１１ｂ】
2021513462.tif 000040
【図１１ｂａ】
2021513462.tif 000041
【図１２ａ】
2021513462.tif 000042
【図１２ｂ】
2021513462.tif 000043
【図１２ｃ】
2021513462.tif 000044
【図１３】
2021513462.tif 000045
【国際調査報告】
2021513462.tif 000046
2021513462.tif 000047